(57)【要約】【課題】吐出される内容物の量を容易に変更することができると共に、変更後の量を正確に吐出すること。【解決手段】ピストン操作部５は、中蓋５０と、中蓋及びシリンダ部３に対して相対的に押し下げ可能とされた押下ヘッド５１と、押下ヘッドを中蓋に対して上方に付勢する付勢手段５２とを備え、押下ヘッドはシリンダ軸Ｏ回りに回転自在とされ、押下ヘッド及び中蓋のうちのいずれか一方には、中蓋及びシリンダ部に対して押下ヘッドをシリンダ軸回りに回転させた際、押下げヘッドの押し下げに伴って、他方に設けられた規制部５８に対してシリンダ軸方向に沿って当接するストッパ部５９Ａ〜５９Ｄが設けられ、規制部及びストッパ部は押下ヘッドの内側に配置されている定量吐出器１を提供する。【選択図】図１
2015127242.tif 000002
【特許請求の範囲】
【請求項１】
シリンダ部と、
前記シリンダ部の内周面に沿ってシリンダ軸方向に摺動可能なピストン部と、
前記ピストン部を操作するピストン操作部と、
前記シリンダ部内の液室に連通された管状の吸込み部と、
前記吸込み部の内側に配設され、前記ピストン部の引戻し動作に連動して開けられる開閉可能な吸込み弁と、
前記シリンダ部の側方に向かって突出していると共に、前記シリンダ部に直結されて前記液室に連通された筒状のノズル部と、
前記ノズル部の内側に配設され、前記ピストン部の押込み動作に連動して開けられる開閉可能な吐出弁と、を備え、
前記ピストン操作部は、
前記シリンダ部の上端部に被着された中蓋と、
前記中蓋を覆うと共に前記ピストン部に接続され、且つ前記中蓋及び前記シリンダ部に対して相対的に押し下げ可能とされた押下ヘッドと、
前記押下ヘッドを前記中蓋に対して上方に付勢する付勢手段と、を備え、
前記押下ヘッドは、前記中蓋及び前記シリンダ部に対してシリンダ軸回りに回転自在とされ、
前記押下ヘッド及び前記中蓋のうちのいずれか一方には、前記中蓋及び前記シリンダ部に対して前記押下ヘッドをシリンダ軸回りに回転させた際、前記押下ヘッドの押し下げに伴って、他方に設けられた規制部に対してシリンダ軸方向に沿って当接するストッパ部が設けられ、
前記規制部及び前記ストッパ部は、前記押下ヘッドの内側に配置されていることを特徴とする定量吐出器。
【請求項２】
請求項１に記載の定量吐出器において、
前記ストッパ部は、周方向に沿って複数設けられ、且つ前記規制部側の先端部の位置がシリンダ軸方向に互いに異なっていることを特徴とする定量吐出器。
【請求項３】
請求項２に記載の定量吐出器において、
前記押下ヘッド及び前記中蓋のうちのいずれか一方には、周方向に沿って複数の摺接突起が形成され、
前記押下ヘッド及び前記中蓋のうちの残りの他方には、前記押下ヘッド及び前記中蓋の相対的なシリンダ軸回りの回転移動に伴って、前記摺接突起に摺接する係合突起が形成され、
前記係合突起は、前記押下ヘッド及び前記中蓋の相対的なシリンダ軸回りの回転移動に伴って、前記規制部が前記ストッパ部に対してシリンダ軸方向に対向し合う毎に、前記摺接突起に対して係合されることを特徴とする定量吐出器。
【発明の詳細な説明】
【技術分野】
【０００１】
本発明は、定量吐出器に関するものである。
【背景技術】
【０００２】
従来、定量吐出器として、下記特許文献１に示されるように、シリンダ部と、シリンダ部の内周面に沿ってシリンダ軸方向に摺動可能なピストン部と、ピストン部を操作するピストン操作部と、シリンダ部内の液室に連通された管状の吸込み部と、吸込み部の内側に配設され、ピストン部の引戻し動作に連動して開けられる開閉可能な吸込み弁と、シリンダ部の側方に向かって突出していると共にシリンダ部に直結されて液室に連通された筒状のノズル部と、ノズル部の内側に配設され、ピストン部の押込み動作に連動して開けられる開閉可能な吐出弁と、を備えるものが知られている。
【０００３】
上記定量吐出器によれば、ピストン操作部を操作してピストン部を押し込むことで、シリンダ部内の液室に貯留された内容物を、吐出弁及びノズル部を通じて外部に吐出することができる。その後、ピストン部が引き戻されることで、吸込み弁及び吸込み部を通じて内容物をシリンダ部内の液室に吸い込んで貯留することができる。これにより、液室内に決まった量の内容物を貯留でき、次のピストン部の押し込みによって定量の内容物を吐出することが可能とされている。
【先行技術文献】
【特許文献】
【０００４】
【特許文献１】特開２０１３−９５４４２号公報
【発明の概要】
【発明が解決しようとする課題】
【０００５】
しかしながら、上記した従来の定量吐出器では、予め決まった量の内容物を吐出することは可能であるが、吐出される量を適宜変更することが難しく、改善の余地があった。
【０００６】
本発明は、このような事情に鑑みてなされたものであって、その目的は、吐出される内容物の量を容易に変更することができると共に、変更後の量を正確に吐出することができる定量吐出器を提供することである。
【課題を解決するための手段】
【０００７】
上記の目的を達成するために、この発明は以下の手段を提供している。
（１）本発明に係る定量吐出器は、シリンダ部と、前記シリンダ部の内周面に沿ってシリンダ軸方向に摺動可能なピストン部と、前記ピストン部を操作するピストン操作部と、前記シリンダ部内の液室に連通された管状の吸込み部と、前記吸込み部の内側に配設され、前記ピストン部の引戻し動作に連動して開けられる開閉可能な吸込み弁と、前記シリンダ部の側方に向かって突出していると共に、前記シリンダ部に直結されて前記液室に連通された筒状のノズル部と、前記ノズル部の内側に配設され、前記ピストン部の押込み動作に連動して開けられる開閉可能な吐出弁と、を備え、前記ピストン操作部は、前記シリンダ部の上端部に被着された中蓋と、前記中蓋を覆うと共に前記ピストン部に接続され、且つ前記中蓋及び前記シリンダ部に対して相対的に押し下げ可能とされた押下ヘッドと、前記押下ヘッドを前記中蓋に対して上方に付勢する付勢手段と、を備え、前記押下ヘッドは、前記中蓋及び前記シリンダ部に対してシリンダ軸回りに回転自在とされ、前記押下ヘッド及び前記中蓋のうちのいずれか一方には、前記中蓋及び前記シリンダ部に対して前記押下ヘッドをシリンダ軸回りに回転させた際、前記押下ヘッドの押し下げに伴って、他方に設けられた規制部に対してシリンダ軸方向に沿って当接するストッパ部が設けられ、前記規制部及び前記ストッパ部は、前記押下ヘッドの内側に配置されていることを特徴とする。
【０００８】
本発明に係る定量吐出器によれば、シリンダ部内の液室に内容物が貯留された状態で、ピストン操作部における押下ヘッドを操作してピストン部を押し込むと、吐出弁が開いて液室内の内容物がノズル部の内側を通って外部に吐出される。そして、ピストン部の押込み動作を停止すると、吐出弁が閉じて内容物の吐出が停止する。その後、付勢手段が押下ヘッドを上方に付勢することで、ピストン部が引き戻されると、吸込み弁が開き、吸込み部の内側を通って内容物がシリンダ部内の液室に流入する。そして、ピストン部の引戻し動作が停止されると、吸込み弁が閉じて液室内への内容物の流入が停止する。これにより、液室内に決まった量の内容物を貯留でき、次のピストン部の押し込みによって、定量の内容物を吐出することができる。
【０００９】
ところで、吐出する内容物の量を変更する場合には、押下ヘッドをシリンダ軸回りに回転操作する。これにより、ストッパ部を周方向に移動させることができ、ストッパ部に規制部がシリンダ軸方向に沿って対向するように該規制部の位置を相対的に変更できる。従って、押下ヘッドを押し下げる際のストローク量を変えることができ、シリンダ部内の液室への内容物の流入量をストローク量に応じて変化させることができる。その結果、内容物の吐出量を変更することができる。
【００１０】
このように、押下ヘッドを回転操作するだけの簡便な方法で、吐出される内容物の量を容易に変更することができるので、操作性に優れている。また、押下ヘッドを回転操作しない限り、変更後の量を正確に吐出し続けることができる。また、規制部及びストッパ部は、押下ヘッドの内側に配置されているので、外側に設けた場合における押下ヘッドの嵩張りの懸念がないうえ、外部から見え難くすることができるのでデザイン性を低下させ難い。
【００１１】
（２）前記ストッパ部は、周方向に沿って複数設けられ、且つ前記規制部側の先端部の位置がシリンダ軸方向に互いに異なっていても良い。
【００１２】
この場合には、ストッパ部が複数設けられているので、押下ヘッドをシリンダ軸回りに回転操作することで、任意に選択したいずれかのストッパ部と規制部とをシリンダ軸方向に沿って対向させることができる。従って、押下ヘッドを押し下げる際のストローク量を、選択したストッパ部に応じて変えることができる。このように、複数のストッパ部が設けられていることで、ストローク量をより多段階的に変更することができるので、内容物の吐出量をさらに多段階的に変更することができ、使い易い。
【００１３】
（３）前記押下ヘッド及び前記中蓋のうちのいずれか一方には、周方向に沿って複数の摺接突起が形成され、前記押下ヘッド及び前記中蓋のうちの残りの他方には、前記押下ヘッド及び前記中蓋の相対的なシリンダ軸回りの回転移動に伴って、前記摺接突起に摺接する係合突起が形成され、前記係合突起は、前記押下ヘッド及び前記中蓋の相対的なシリンダ軸回りの回転移動に伴って、前記規制部が前記ストッパ部に対してシリンダ軸方向に対向し合う毎に、前記摺接突起に対して係合されても良い。
【００１４】
この場合には、規制部とストッパ部とがシリンダ軸方向に対向し合う毎に、摺接突起と係合突起とが係合し合うので、押下ヘッドと中蓋との周方向に沿う相対的な位置を容易且つ精度良く位置決めでき、内容物の吐出量を所望する量に速やかに変更し易い。
【発明の効果】
【００１５】
本発明に係る定量吐出器によれば、吐出される内容物の量を容易に変更することができると共に、変更後の量を正確に吐出することができる。
【図面の簡単な説明】
【００１６】
【図１】本発明に係る定量吐出器の第１実施形態を示す縦断面図である。
【図２】図１に示すピストン操作部周辺を拡大した縦断面図である。
【図３】図１に示す定量吐出器の側面図であって、押下ヘッドの窓孔を通じて中蓋に設けられた操作片を露出させた状態における側面図である。
【図４】図２に示すＡ−Ａ線に沿った断面図であって、規制部とストッパ部との関係を示す図である。
【図５】図２に示すＢ−Ｂ線に沿った断面図である。
【図６】図１に示す状態から、補助ノズルをノズル本体に対して後退させた状態を示す縦断面図である。
【図７】図１に示す補助ノズルの側面図である。
【図８】図６に示すＣ−Ｃ線に沿った断面図である。
【図９】図１に示す状態から、押下ヘッドを押し下げ操作した状態を示す縦断面図である。
【図１０】図９に示す状態から、押下ヘッドが引き戻されている状態を示す縦断面図である。
【図１１】本発明に係る定量吐出器の第２実施形態を示す横断面図である。
【図１２】図１１に示すＤ−Ｄ線に沿った定量吐出器の縦断面図である。
【図１３】図１２に示す定量吐出器をノズル部側から見た側面図である。
【図１４】図１２に示す状態から押下ヘッドを押し下げ操作した状態を示す縦断面図である。
【図１５】図１２に示す状態から押下ヘッドを第２吐出位置に回転させた後に、押し下げ操作した状態を示す縦断面図である。
【図１６】第２実施形態の変形例を示す図であって、押下ヘッドの側面図である。
【発明を実施するための形態】
【００１７】
（第１実施形態）
以下、本発明に係る定量吐出器の第１実施形態について、図面に基づいて説明する。
＜定量吐出器の構成＞
図１に示すように、定量吐出器１は、容器本体１０の口部１１に装着される装着キャップ２と、装着キャップ２に連結されたシリンダ部３と、シリンダ部３内に摺動可能に配設されたピストン部４と、このピストン部４を操作するピストン操作部５と、シリンダ部３内の液室３２に連通された管状の吸込み部６と、吸込み部６の内側に配設された吸込み弁７と、シリンダ部３の側方に向かって突出すると共にシリンダ部３に直結されてシリンダ部３内の液室３２に連通された筒状のノズル部８と、ノズル部８の内側に配設された吐出弁９と、を備えている。
【００１８】
以下、シリンダ部３の横断面がなす円形状の中央を通るシリンダ軸Ｏに沿って、ピストン操作部５側を上側、その反対側を下側という。また、シリンダ軸Ｏ回りに周回する方向を周方向といい、シリンダ軸Ｏ方向から見た平面視において、シリンダ軸Ｏに直交する方向を径方向という。
【００１９】
（容器本体）
容器本体１０は、例えばガラス瓶、ペットボトルや合成樹脂製ボトル等であり、内部に図示しない内容物が収容される。容器本体１０の口部１１の外周面には、雄ねじ１２が形成されている。
【００２０】
（装着キャップ）
装着キャップ２は、円筒形状に形成され、シリンダ軸Ｏと同軸に配設されている。装着キャップ２の内周面には、口部１１の雄ねじ１２に螺合される雌ねじ２０が形成されている。
【００２１】
（シリンダ部）
シリンダ部３は、有底筒状に形成され、その内側に容器本体１０内の内容物を貯留する液室３２が形成されると共に、容器本体１０の上方に配置されている。
シリンダ部３には、装着キャップ２に接続され、口部１１に装着される装着筒部３０が設けられている。装着筒部３０は、シリンダ部３の底壁部３１から下方に向けて延在し、シリンダ軸Ｏと同軸に配置されている。装着筒部３０の下端部は、装着キャップ２の上端部内にアンダーカット嵌合されている。装着筒部３０には、口部１１の上端開口縁上に配置される支持フランジ部３０ａが形成されている。
【００２２】
シリンダ部３の外周面には、被係止部３４が径方向の外側に向けて突設されている。被係止部３４は、上方から下方に向かうに従い漸次径方向の外側に向けた突出量が大きくなるように形成されている。
なお、被係止部３４は、シリンダ部３の外周面において、シリンダ軸Ｏを径方向に挟んで互いに反対となる位置に各別に形成されている。但し、被係止部３４の数は２つに限定されるものではない。
【００２３】
（ピストン部）
ピストン部４は、シリンダ部３内に配設されて上記液室３２を画成している。
このピストン部４は、図１及び図２に示すように、シリンダ軸Ｏに直交する底壁部４０と、底壁部４０の外縁から上方に向けて延びる周壁部４１と、周壁部４１を径方向の外側から囲繞し、且つシリンダ部３内に摺動自在に嵌合された筒状の摺接部４３と、を備えている。
【００２４】
底壁部４０は、シリンダ部３の底壁部３１の上方に間隔をあけて対向配置されている。この底壁部４０とシリンダ部３の底壁部３１との間に画成される空間が、上記液室３２とされている。
摺接部４３の上端部と周壁部４１の上端部とは連結されている。摺接部４３は、上方から下方に向かうに従い漸次拡径するように形成されており、シリンダ部３の内周面に全周に亘って気密に摺動自在に当接している。
底壁部４０における径方向の中央部には、上方に向けて連結筒部４４が立設されている。この連結筒部４４は、シリンダ部３よりも上方に突出するように形成されている。
【００２５】
（ピストン操作部）
ピストン操作部５は、シリンダ部３の上端部に被着された中蓋５０と、中蓋５０を覆うと共に、中蓋５０及びシリンダ部３に対して相対的にシリンダ軸Ｏ方向に沿って押し下げ可能に中蓋５０に装着された押下ヘッド５１と、押下ヘッド５１を中蓋５０に対して上方に付勢するコイルスプリング（付勢手段）５２と、を備えている。
【００２６】
中蓋５０は、シリンダ軸Ｏと同軸に配設された円環状の天壁部５０ａと、天壁部５０ａの外縁から下方に向けて突設された外筒部５０ｂと、天壁部５０ａの内縁から下方に向けて突設された内筒部５０ｃと、内筒部５０ｃの下端部から径方向の内側に向けて突設された円環状の底壁部５０ｄと、底壁部５０ｄの内縁から上方に向けて突設されたガイド筒部５０ｅと、を備えている。
【００２７】
中蓋５０は、天壁部５０ａがシリンダ部３の上端開口縁上に載置された状態で、外筒部５０ｂがシリンダ部３の上端部に外装されることで、シリンダ部３の上端部に被着されている。なお、内筒部５０ｃ、底壁部５０ｄ及びガイド筒部５０ｅは、シリンダ部３内に配設されている。
底壁部５０ｄには、ピストン部４の底壁部４０の上面が係止される支持突起５３が下方に向けて突設されている。これにより、押下ヘッド５１及びピストン部４のこれ以上の上昇が規制されている。底壁部５０ｄの上面は、コイルスプリング５２の下端部を保持している。
【００２８】
上述したように構成された中蓋５０には、図２及び図３に示すように、シリンダ部３に対して弾性変位可能に支持された操作片５５が設けられている。
この操作片５５は、シリンダ部３の被係止部３４に係止され、シリンダ部３に対する中蓋５０の移動を規制する係止孔（係止部）５５ａと、係止孔５５ａと被係止部３４との係止が解除されるように、操作片５５を弾性変位させる操作ボタン（操作部）５５ｂと、を備えている。
【００２９】
上記操作片５５について詳細に説明する。
中蓋５０の外筒部５０ｂのうち、シリンダ部３に形成された被係止部３４に対して径方向に対向する部分には、径方向から見た側面視で四角状の開口部５６が形成されている。操作片５５は、この開口部５６の内側に配置されている。従って、操作片５５は被係止部３４に対応して２つ設けられている。また、操作片５５と開口部５６とはヒンジ軸５７を介して周方向に接続されている。これにより、操作片５５はヒンジ軸５７を中心として径方向に揺動するように弾性変位可能とされている。
【００３０】
そして、操作片５５のうち上記ヒンジ軸５７よりも下方に位置する部分に上記係止孔５５ａが形成され、ヒンジ軸５７よりも上方に位置する部分が操作ボタン５５ｂとされている。
従って、操作ボタン５５ｂを径方向の内側に向けて押圧することで、ヒンジ軸５７を中心に操作片５５を弾性変位させて、係止孔５５ａを径方向の外側に向けて移動させることが可能とされる。
これにより、係止孔５５ａを被係止部３４から離脱させることができ、両者の係止を解除することが可能とされている。
【００３１】
図１及び図２に示すように、押下ヘッド５１は、シリンダ軸Ｏに直交するように形成されると共に中蓋５０の上方に配置された天壁部５１ａと、天壁部５１ａの外縁から下方に向けて突設されると共にシリンダ軸Ｏと同軸に配設された周壁部５１ｂと、天壁部５１ａにおける径方向の中央部に配設されると共に、ピストン部４における連結筒部４４内に嵌合される内装着筒部５１ｃと、連結筒部４４に外嵌される外装着筒部５１ｅと、天壁部５１ａにおいて周壁部５１ｂと外装着筒部５１ｅとの間に位置する部分から下方に向けて突設されたスプリング保持部５１ｄと、を備えている。
【００３２】
そして、この押下ヘッド５１は、中蓋５０及びシリンダ部３に対してシリンダ軸Ｏ回りに回転自在とされた状態で、中蓋５０及びシリンダ部３に対して組み合わされている。よって、押下ヘッド５１における内装着筒部５１ｃ及び外装着筒部５１ｅは、ピストン部４における連結筒部４４に対してシリンダ軸Ｏ回りに相対的に回転自在に接続されている。
また、周壁部５１ｂは、中蓋５０の外筒部５０ｂを径方向の外側から囲んでいる。これにより、押下ヘッド５１は、中蓋５０及びシリンダ部３を上方から覆うと共に径方向の外側からも覆っている。
【００３３】
スプリング保持部５１ｄは、中蓋５０の底壁部５０ｄに上方から対向しており、コイルスプリング５２の上端部を保持している。これにより、コイルスプリング５２は、中蓋５０と押下ヘッド５１との間に介装されている。
【００３４】
図３に示すように、押下ヘッド５１の周壁部５１ｂには、中蓋５０に設けられた操作片５５を外部に露出させる窓孔５１ｆが形成されている。この窓孔５１ｆは、下方に開口するように形成されている共に、シリンダ軸Ｏを挟んで径方向に向かい合うように配置されている（図５参照）。
よって、必要に応じて押下ヘッド５１をシリンダ軸Ｏ回りに回転させることで、窓孔５１ｆを通じて操作片５５を外部に露出させることが可能とされている。
【００３５】
上述したように構成された押下ヘッド５１は、図２及び図４に示すように、中蓋５０に設けられた規制部５８と、押下ヘッド５１に設けられた複数のストッパ部５９Ａ、５９Ｂ、５９Ｃ、５９Ｄ（以下、ストッパ部５９Ａ〜５９Ｄと称する場合がある）とによって、押し下げのストローク量が変更可能な構成とされている。
詳細に説明する。
上記規制部５８は、中蓋５０における内筒部５０ｃの内周面から径方向の内側に突出し、且つシリンダ軸Ｏ方向に沿って延在するように形成されている。なお、図示の例では、規制部５８は、３つの縦リブが周方向に間隔をあけて並んだ構成とされている。但し、規制部５８の形状はこの場合に限定されるものではない。
【００３６】
また、規制部５８は、シリンダ軸Ｏを挟んで径方向に向かい合うように形成されている。この際、規制部５８は、中蓋５０の外筒部５０ｂに設けられた操作片５５に対して径方向の内側に位置するように形成されている。
【００３７】
複数のストッパ部５９Ａ〜５９Ｄは、押下ヘッド５１の押し下げ時に、シリンダ軸Ｏに沿って上記規制部５８に上方から当接する部材であって、押下ヘッド５１における天壁部５１ａから下方に向けて突出するように形成されている。この際、ストッパ部５９Ａ〜５９Ｄは、天壁部５１ａのうち、スプリング保持部５１ｄよりも径方向の外側に位置し、且つ規制部５８に対してシリンダ軸Ｏ方向に対向する部分から、下方に向けて突出するように形成されている。
【００３８】
複数のストッパ部５９Ａ〜５９Ｄは、周方向に沿って配置されていると共に、規制部５８側の先端部（下端部）の位置がシリンダ軸Ｏ方向に互いに異なっている。
図示の例では、ストッパ部５９Ａが最も下方に突出するように形成されており、このストッパ部５９Ａから周方向に向けて段階的に下方への突出量が低くなるように、残りのストッパ部５９Ｂ、５９Ｃ、５９Ｄが形成されている。
【００３９】
上述のように構成されているため、押下ヘッド５１をシリンダ軸Ｏ回りに回転させることで、複数のストッパ部５９Ａ〜５９Ｄを周方向に移動させることができ、いずれかのストッパ部５９Ａ〜５９Ｄに対して規制部５８がシリンダ軸Ｏ方向に対向するように、該規制部５８の位置を相対的に変更することができる。そのため、押下ヘッド５１を押し下げる際のストローク量を変更することができる。
本実施形態の場合には、図４に示すように、ストローク量を４段階に変更することが可能とされている。つまり、最も小さいストローク量Ｌ１から、ストローク量Ｌ２、ストローク量Ｌ３、最も大きいストローク量Ｌ４の順に４段階に変更することが可能である。
【００４０】
また、図２及び図５に示すように、本実施形態の押下ヘッド５１には複数の摺接突起１００が形成されていると共に、中蓋５０には、押下ヘッド５１及び中蓋５０の相対的なシリンダ軸Ｏ回りの回転移動に伴って、摺接突起１００に摺接する係合突起１０１が形成されている。
【００４１】
詳細に説明する。
押下ヘッド５１における外装着筒部５１ｅの外周面には、上記摺接突起１００が周方向に沿って間隔をあけて複数形成されている。各摺接突起１００は、径方向の外側に向けて突出すると共に、シリンダ軸Ｏ方向に沿って延在した２つの縦リブ１００ａによって形成されている。そして、これら複数の摺接突起１００は、上述した複数のストッパ部５９Ａ〜５９Ｄ及び窓孔５１ｆに対応するように、ストッパ部５９Ａ〜５９Ｄ及び窓孔５１ｆの径方向の内側にそれぞれ配置されるように形成されている。
【００４２】
また、中蓋５０におけるガイド筒部５０ｅの内周面には、径方向の内側に向けて突出するように上記係合突起１０１が形成されている。この係合突起１０１は、シリンダ軸Ｏ方向に沿って延在するように形成されており、押下ヘッド５１及び中蓋５０の相対的なシリンダ軸Ｏ回りの回転移動に伴って摺接突起１００に対して摺接すると共に、２つの上記縦リブ１００ａ間に挟まれるように各摺接突起１００に係合可能（係止可能）とされている。
なお、係合突起１０１は、規制部５８及び操作片５５に対して径方向の内側に位置するように形成されている。
【００４３】
特に、複数の摺接突起１００が上述した配置で形成されているので、係合突起１０１は、押下ヘッド５１及び中蓋５０の相対的なシリンダ軸Ｏ回りの回転移動に伴って、規制部５８が各ストッパ部５９Ａ〜５９Ｄに対してシリンダ軸Ｏ方向に対向し合う毎に摺接突起１００に対して係合されると共に、窓孔５１ｆが操作片５５を露出させる毎に係合される。
【００４４】
（吸込み部）
図１に示すように、吸込み部６は、シリンダ部３の底壁部３１から下方に向けて延設されると共にシリンダ部３内に連通した接続筒部６０と、接続筒部６０に連結されたディップチューブ６１と、を備えている。
【００４５】
接続筒部６０は、上記した装着筒部３０の内側に、シリンダ軸Ｏと同軸に配設されている。この接続筒部６０は、シリンダ部３の内部に向けて開口した大径の上筒部６２と、上筒部６２の下端に段差を介して連設された小径の下筒部６３と、を備えている。
下筒部６３の上端部の内周面には、全周に亘って径方向内側に突出した円環状の弁座部６４が形成されている。
なお、接続筒部６０はシリンダ部３と一体に形成されている。
【００４６】
ディップチューブ６１は、例えば可撓性を有するフレキシブルチューブからなる。但し、ディップチューブ６１は単なる円筒状のパイプであってもよい。
ディップチューブ６１の下端部は、容器本体１０内に開放されており、ディップチューブ６１の上端部は、接続筒部６０内に嵌合され、上筒部６２を介してシリンダ部３の内部に連通されている。
【００４７】
（吸込み弁）
吸込み弁７は、吸込み部６の上筒部６２内に嵌合された周壁部７０と、周壁部７０の内側に配設されて弁座部６４の内側を開閉する板状の弁体部７１と、弁体部７１の外周面と周壁部７０の内周面とを連結する弾性変形可能な連結片７２と、を備えている。
【００４８】
周壁部７０は、吸込み部６の上筒部６２内にアンダーカット嵌合されている。弁体部７１は、弁座部６４の上面に液密に密接（着座）されている。連結片７２は、例えば周方向に間欠的に複数配設され、弁体部７１の外周面と周壁部７０の内周面とを繋いでいる。
なお、吸込み弁７は、１つの連結片７２で弁体部７１を支持した一点弁でもよい。さらに、本実施形態では、弁座部６４に着座する弁体部７１を利用することで吸込み部６の内側を開閉する吸込み弁７を例に挙げたが、この場合に限定されるものではなく、例えばボール弁を吸込み弁として採用しても構わない。
【００４９】
（ノズル部）
ノズル部８は、シリンダ部３の底壁部３１の下面、及び装着筒部３０の外周面の双方から一体に側方（シリンダ軸Ｏに交差する方向）に向かって突出し、シリンダ部３内及び装着筒部３０内に連通している。
このノズル部８は、シリンダ部３及び装着筒部３０に接続されたノズル本体８Ａと、先端開口が吐出孔８０とされ、ノズル本体８Ａに該ノズル本体８Ａにおけるノズル軸Ｏ１方向に沿って進退自在に装着された補助ノズル８Ｂとを備えている。
【００５０】
ノズル本体８Ａの基端開口部には、環状の端壁部８２が配設されている。ノズル本体８Ａの基端部の上部は、シリンダ部３内に向けて開口している。従って、ノズル本体８Ａの内部は、シリンダ部３内の液室３２に連通していると共に、端壁部８２の開口を通して装着筒部３０の内部に連通している。
【００５１】
補助ノズル８Ｂは、ノズル本体８Ａを囲むように該ノズル本体８Ａに装着される装着部８３ａと、上記吐出孔８０が形成された吐出部８３ｂと、を備えている。
【００５２】
図１及び図６に示すように、装着部８３ａは、ノズル本体８Ａに対して最前進位置に移動した際、ノズル本体８Ａに対してアンダーカット嵌合される。これにより、補助ノズル８Ｂは、ノズル本体８Ａから脱落することが防止されている。また、装着部８３ａは、ノズル本体８Ａに対して最後退位置に移動した際、シリンダ部３に接することで位置決めされる。
【００５３】
なお、補助ノズル８Ｂは、ノズル軸Ｏ１回りに回り止めされた状態でノズル本体８Ａに装着されている。図示の例では、ノズル本体８Ａの外周面にノズル軸Ｏ１方向に沿って延びた２本の横リブ８４ａが形成され、補助ノズル８Ｂの装着部８３ａの内周面に形成された規制リブ８４ｂが２本の横リブ８４ａ内に係止されることで回り止めがなされている。
また、図７に示すように、装着部８３ａの外周面には、滑り止め用のリブ８４ｃがノズル軸Ｏ１方向に間隔をあけて複数形成されている。
【００５４】
図１及び図６に示すように、吐出部８３ｂは、装着部８３ａとの接続部分からノズル先端側に向かうに従い漸次拡径されたテーパー形状に形成されていると共に、下方に向けて屈曲している。そのため、吐出孔８０は下方に向けて開口している。
吐出部８３ｂは、補助ノズル８Ｂをノズル本体８Ａに対して最前進位置に移動させた際、容器本体１０の外面よりも径方向の外側に突出する位置に配置され（図１参照）、補助ノズル８Ｂをノズル本体８Ａに対して最後退位置に移動させた際、容器本体１０の外面と面一或いは外面よりも径方向の内側に位置するように配置される（図６参照）。
【００５５】
また、補助ノズル８Ｂには、ノズル本体８Ａに対して最後退位置に位置したときに、ノズル本体８Ａの先端開口を閉塞する有底筒状の栓体８５が設けられている。
図１、図６及び図８に示すように、この栓体８５は、装着部８３ａと吐出部８３ｂとの接続部分に配置されており、連結片８５ａを介して装着部８３ａの内周面に連結されている。連結片８５ａは、ノズル軸Ｏ１回りに沿うノズル周方向に間隔をあけて複数配設されている。従って、周方向に隣り合う連結片８５ａの間は流通孔８６とされている。
【００５６】
なお、補助ノズル８Ｂ内において、栓体８５及び連結片８５ａが配設された部分における流路断面積（各流通孔８６の開口面積を合計した面積）は、ノズル部８内において、吐出弁９が配設された部分における、吐出弁９が開いたときの流路断面積（後述する隙間Ｓによって画成される面積）と同等に設計されている。
【００５７】
（吐出弁）
図１及び図６に示すように、吐出弁９は、端壁部８２の開口内に挿通された挿通部９０と、挿通部９０の両端部に設けられた一対の係止部９１、９２と、ノズル本体８Ａの内周面に全周に亘って気密に密接する弁体部９３と、を備え、シリンダ部３の液室３２と吐出孔８０との連通、及びその遮断を切り替え可能に形成されている。
【００５８】
一対の係止部９１、９２は、挿通部９０に対して拡径された拡径部であり、端壁部８２の両側にそれぞれ配置されて、端壁部８２に対して係止されている。
一対の係止部９１、９２のうち、端壁部８２のノズル基端側に位置する一方の係止部９１は、ノズル基端側に向かうに従い漸次縮径された円錐台形状に形成されている。これにより、端壁部８２の開口内に、一方の係止部９１をノズル先端側から挿入することで、吐出弁９が端壁部８２に装着される。
【００５９】
弁体部９３は、ノズル先端側に向かって漸次拡径されて弾性的に縮径変形可能なテーパー状の筒状に形成され、他方の係止部９２のノズル先端側の端部外縁からノズル先端側に向かって突設されている。この弁体部９３の先端部（最大径部）は、ノズル本体８Ａの内周面に気密に密接されている。
そして、吐出弁９には、ノズル部８内と装着筒部３０内とを連通する導入孔９４が形成されている。
【００６０】
＜定量吐出器の作用＞
次に、上記した構成からなる定量吐出器１の作用について説明する。
容器本体１０の内容物を吐出する場合には、図１に示すように、補助ノズル８Ｂをノズル本体８Ａに対して前進させることで、ノズル本体８Ａの先端開口から栓体８５を離脱させて、該先端開口の閉塞を解除しておく。このとき、ノズル本体８Ａの先端開口が解除されていれば良く、補助ノズル８Ｂを最前進位置にセットしておく必要はない。従って、ノズル部８全体のノズル長を任意に調整して構わない。
【００６１】
その後、図９に示すように、液室３２に内容物が貯留された状態で、押下ヘッド５１の天壁部５１ａの上面を押圧し、コイルスプリング５２の付勢力に抵抗しながら押下ヘッド５１を押し下げる。これにより、コイルスプリング５２が軸方向に圧縮されると共に、押下ヘッド５１に連結されたピストン部４が、押下ヘッド５１と共にシリンダ部３に対して相対的に下降してシリンダ部３の底壁部３１側に押し込まれ、液室３２が減容される。
【００６２】
そして、液室３２の減容化によって液室３２の内圧が所定の正圧まで上昇することで、その内圧によって弁体部９３が弾性的に縮径変形し、弁体部９３の先端部とノズル本体８Ａの内周面との間に隙間Ｓが形成されて吐出弁９が開かれる。これにより、液室３２内の内容物が隙間Ｓを通じてノズル本体８Ａ内に流入した後、栓体８５における流通孔８６を通過して補助ノズル８Ｂ内にさらに流入し、その後、吐出孔８０から外部に吐出される。
【００６３】
なお、先に説明したように、栓体８５及び連結片８５ａが配設された部分における補助ノズル８Ｂ内の流路断面積と、吐出弁９が開いたときの該吐出弁９が配設された部分におけるノズル部８内の流路断面積とが同等とされているので、内容物を抵抗少なくスムーズに吐出させることができる。
【００６４】
次に、上記した押下ヘッド５１の押し下げ操作を止めてピストン部４の押込み動作（下降）を停止させると、弁体部９３が弾性により復元変形して拡径される。これにより、弁体部９３の先端部がノズル本体８Ａの内周面に全周に亘って再び気密に密接して吐出弁９が閉じられ、その結果、ノズル部８からの内容物の吐出が停止される。
【００６５】
次に、図１０に示すように、押下ヘッド５１への押圧力を解除すると、コイルスプリング５２の付勢力によって押下ヘッド５１が押し上げられ、押下ヘッド５１に連結されたピストン部４が、押下ヘッド５１と共にシリンダ部３に対して相対的に上昇してシリンダ部３の上端側に引き戻され、液室３２の容積が増大される。
【００６６】
その結果、液室３２の内圧が負圧となり、その内圧によって吸込み弁７の連結片７２を弾性変形させながら弁体部７１が引き上げられ、弁体部７１が弁座部６４から離間して吸込み弁７が開かれる。
これにより、容器本体１０内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸い込まれる。
【００６７】
その後、図１に示すように、ピストン部４の底壁部４０の上面が、中蓋５０の底壁部５０ｄの支持突起５３に当接することで、押下ヘッド５１の上昇が停止してピストン部４の引戻し動作が停止する。これにより、吸込み弁７の連結片７２の弾性によって弁体部７１が引き下げられ、弁体部７１が弁座部６４に着座して液密に密接して吸込み弁７が閉じられ、その結果、液室３２内への内容物の吸い込みが停止される。
これにより、液室３２内に決まった量の内容物を貯留することができ、次のピストン部４の押し込みによって定量の内容物を吐出することができる。
【００６８】
特に、本実施形態の定量吐出器１によれば、吐出する内容物の量を変更することができる。
この場合には、押下ヘッド５１をシリンダ軸Ｏ回りに回転操作する。これにより、図４に示すように、押下ヘッド５１に形成された複数のストッパ部５９Ａ〜５９Ｄを周方向に移動させることができ、いずれかのストッパ部５９Ａ〜５９Ｄに、中蓋５０に形成された規制部５８がシリンダ軸Ｏ方向に沿って対向するように、該規制部５８の位置を相対的に変更することができる。
【００６９】
従って、押下ヘッド５１を押し下げる際のストローク量を変えることができ。シリンダ部３における液室３２への内容物の流入量をストローク量に応じて変化させることができる。その結果、内容物の吐出量を変更することができる。
【００７０】
このように、押下ヘッド５１を回転操作するだけの簡便な方法で、吐出される内容物の量を容易に変更することができるので、操作性に優れている。しかも、押下ヘッド５１を回転操作しない限り、変更後の量を正確に吐出することができる。
【００７１】
さらに、図５に示すように、押下ヘッド５１をシリンダ軸Ｏ回りに回転操作した際、規制部５８とストッパ部５９Ａ〜５９Ｄとがシリンダ軸Ｏ方向に対向し合う毎に、中蓋５０のガイド筒部５０ｅに形成された係合突起１０１と、押下ヘッド５１の外装着筒部５１ｅに形成された摺接突起１００とが係合し合うので、押下ヘッド５１と中蓋５０との周方向に沿う相対的な位置を容易且つ精度良く位置決めでき、内容物の吐出量を所望する量に速やかに変更し易い。
本実施形態では、吐出量を４段階に変更することが可能であるので、４段階のうちのいずれかの吐出量に速やかに変更することができる。
【００７２】
また、規制部５８及びストッパ部５９Ａ〜５９Ｄは、押下ヘッド５１の内側に配置されているので、外側に設けた場合における押下ヘッド５１の嵩張りの懸念がないうえ、外部から見え難くすることができるので、デザイン性を低下させ難い。
【００７３】
（第１実施形態の変形例）
上記第１実施形態では、規制部５８を中蓋５０側に形成し、複数のストッパ部５９Ａ〜５９Ｄを押下ヘッド５１側に形成したが、これとは逆に、規制部５８を押下ヘッド５１側に形成し、複数のストッパ部５９Ａ〜５９Ｄを中蓋５０側に形成しても構わない。この場合であっても、同様の作用効果を奏功することができる。
いずれにしても、中蓋５０及び押下ヘッド５１のうちのいずれか一方に規制部５８を係止し、他方に複数のストッパ部５９Ａ〜５９Ｄを形成すれば良い。
【００７４】
また、摺接突起１００及び係合突起１０１についても同様で、摺接突起１００を押下ヘッド５１側に形成し、係合突起１０１を中蓋５０側に形成したが、摺接突起１００を中蓋５０側に形成し、係合突起１０１を押下ヘッド５１側に形成しても構わない。この場合であっても、同様の作用効果を奏功することができる。
従って、中蓋５０及び押下ヘッド５１のうちのいずれか一方に摺接突起１００を形成し、他方に係合突起１０１を形成すれば良い。
【００７５】
また、上記第１実施形態において、押下ヘッド５１を透明或いは半透明材料で形成し、外部から押下ヘッド５１の内部を視認することができるように構成しても構わない。このようにすることで、いずれかのストッパ部５９Ａ〜５９Ｄに対して規制部５８をより正確にシリンダ軸Ｏ方向に対向させることができ、内容物の吐出量を所望する量に正確に変更し易い。
また、この場合において、例えば中蓋５０の天壁部５０ａに規制部５８の位置を示すメモリ（指示マーク等）を形成し、このメモリを利用しながら規制部５８を、いずれかのストッパ部５９Ａ〜５９Ｄに対してシリンダ軸Ｏ方向に対向させても良い。
さらに、例えば各ストッパ部５９Ａ〜５９Ｄに、例えば吐出量（計量）を明示しても良い。このようにすることで、内容物の吐出量を所望する量にさらに正確に変更し易い。
【００７６】
さらには、規制部５８と複数のストッパ部５９Ａ〜５９Ｄとの位置合わせを、押下ヘッド５１の外側で行うように構成しても構わない。
例えば、押下ヘッド５１の周壁部５１ｂに、複数のストッパ部５９Ａ〜５９Ｄにそれぞれ対応した複数の第１メモリ（指示マーク等）を形成し、中蓋５０の外筒部５０ｂ或いはシリンダ部３の側壁面に、規制部５８に対応した第２メモリ（指示マーク等）を形成しても良い。
この場合には、押下ヘッド５１の回転時、いずれかの第１メモリに第２メモリを一致させることで、規制部５８とストッパ部５９Ａ〜５９Ｄとのシリンダ軸Ｏ方向の位置合わせを行うことができる。従って、この場合であっても、内容物の吐出量を所望する量に正確に変更し易い。しかもこの場合には、押下ヘッド５１を透明或いは半透明材料で形成する必要がない。
加えて、この場合において、複数の第１メモリを、例えば吐出量（計量）を明示するメモリとしても良い。この場合には、内容物の吐出量を所望する量にさらに正確に変更し易い。
【００７７】
（第２実施形態）
次に、本発明に係る定量吐出器の第２実施形態について説明する。
第１実施形態では、４つのストッパ部５９Ａ〜５９Ｄを設けることで、押下ヘッド５１を押し下げる際のストローク量を４段階に変更可能とし、これにより吐出量を４段階に調整することができる場合を例に挙げて説明した。これに対して、第２実施形態では、ストッパ部を１つだけ設け、押下ヘッドの回転操作によってストッパ部の位置を、規制部に当接しない位置と、当接する位置とに切り換え可能とされている。これにより、押下ヘッドを押し下げる際のストローク量を２段階に変更し、これにより吐出量を２段階に調整することができる定量吐出器とされている。
なお、この第２実施形態においては、第１実施形態における構成要素と同一の部分については、同一の符号を付しその説明を省略する。
【００７８】
図１１及び図１２に示すように、本実施形態の定量吐出器２００は、装着キャップ２と、装着キャップ２に連結されたシリンダ部２０１と、シリンダ部２０１内に摺動可能に配設されたピストン部２０２と、ピストン部２０２を操作するピストン操作部２０３と、吸込み部６と、吸込み弁７と、シリンダ部２０１の側方に向かって突出すると共にシリンダ部２０１に直結されてシリンダ部２０１内の液室３２に連通された筒状のノズル部２０４と、ノズル部２０４の内側に配設された吐出弁９と、を備えている。
【００７９】
シリンダ部２０１と吸込み部６との間には、円筒状の連結筒２１０が設けられている。なお、本実施形態の吸込み部６は、シリンダ軸Ｏと同軸に配置されている。連結筒２１０は、外周面がシリンダ部２０１における装着筒部３０の内側に嵌合され、内周面が吸込み部６における接続筒部６０の下筒部６３に外嵌されている。これにより、連結筒２１０を介して装着筒部３０と接続筒部６０とを一体的に組み合わせることができ、吸込み部６及びディップチューブ６１の取り付け状態をより安定化させ易い。
【００８０】
なお、連結筒２１０は、接続筒部６０よりも下方に向けて延びていると共に、下方に向かうにしたがって外径が漸次縮径するように形成されている。また、連結筒２１０には、径方向の外側に向かって突出し、容器本体１０の口部１１の上端開口縁と装着筒部３０における支持フランジ部３０ａとの間に配置される環状のフランジ部２１０ａが形成されている。
【００８１】
さらに、本実施形態のシリンダ部２０１の外周面には、第１実施形態における被係止部３４が形成されていない。この被係止部３４に代えて、シリンダ部２０１の上端部側の外周面には、径方向の外側に向けて突出すると共に、周方向に間隔をあけて配置された複数の縦リブ状の第１係合片２１１が形成されている。
【００８２】
ピストン部２０２は、第１ピストン部２０２Ａと、第２ピストン部２０２Ｂとを備えている。
第１ピストン部２０２Ａは、底壁部４０、周壁部４１及び摺接部４３備えている。なお、底壁部４０における径方向の中央部には、上方に向けて有頂筒状に膨出した膨出部４０ａが形成されている。第２ピストン部２０２Ｂは、膨出部４０ａに外嵌された有頂筒状の第１連結筒部２１２と、第１連結筒部２１２の下端部から径方向の外側に向かって突出した環状部２１３と、を備えている。環状部２１３は、底壁部４０の上面に配置されていると共に、外周縁が周壁部４１の内周面に対してアンダーカット嵌合されている。
【００８３】
このように、第１ピストン部２０２Ａと第２ピストン部２０２Ｂとは、膨出部４０ａに対する第１連結筒部２１２の外嵌、及び周壁部４１に対する環状部２１３のアンダーカット嵌合により、一体に組み合わされている。
【００８４】
第１連結筒部２１２は、シリンダ部２０１よりも上方に突出しており、その天壁部は後述する押下ヘッド２２１の天壁部２２１ａに対して面一とされている。また、第１連結筒部２１２の上端部側には、全周に亘って径方向の内側に窪んだ周溝２１４が形成されている。
【００８５】
ピストン操作部２０３は、シリンダ部２０１の上端部に被着された中蓋２２０と、中蓋２２０を覆うと共に、中蓋２２０及びシリンダ部２０１に対して相対的にシリンダ軸Ｏ方向に沿って押し下げ可能に中蓋２２０に装着された押下ヘッド２２１と、押下ヘッド２２１を中蓋２２０に対して上方に付勢するコイルスプリング５２と、を備えている。
【００８６】
中蓋２２０は、シリンダ軸Ｏと同軸に配設された円環状の天壁部２２０ａと、天壁部２２０ａの外縁から下方に向けて突設された外筒部２２０ｂと、天壁部２２０ａの内縁から下方に向けて突設された第１内筒部２２０ｃと、第１内筒部２２０ｃの下端部から径方向の内側に向けて突設された円環状の底壁部２２０ｄと、底壁部２２０ｄの内縁から上方に向けて突設された第２内筒部２２０ｅと、を備えている。
【００８７】
中蓋２２０は、天壁部２２０ａがシリンダ部２０１の上端開口縁上に載置された状態で、外筒部２２０ｂがシリンダ部２０１の上端部に外装されることで、シリンダ部２０１の上端部に被着されている。なお、第１内筒部２２０ｃ、底壁部２２０ｄ及び第２内筒部２２０ｅは、シリンダ部２０１内に配設されている。また、底壁部２２０ｄの上面は、コイルスプリング５２の下端部を保持している。
【００８８】
外筒部２２０ｂの内周面には、径方向の内側に向けて突出すると共に、周方向に間隔をあけて配置された複数の縦リブ状の第２係合片２２２が形成されている。これら第２係合片２２２は、シリンダ部２０１側に形成された第１係合片２１１に対して周方向に各別に係合されている。これにより、中蓋２２０は、シリンダ部２０１に対して回り止めがされた状態で、シリンダ部２０１に被着されている。
【００８９】
押下ヘッド２２１は、シリンダ軸Ｏに直交するように形成されると共に中蓋２２０の上方に配置された天壁部２２１ａと、天壁部２２１ａの外縁から下方に向けて突設されると共にシリンダ軸Ｏと同軸に配設された周壁部２２１ｂと、を備えている。
天壁部２２１ａの中央部には、ピストン部２０２における第１連結筒部２１２の天壁部を露出させる開口部２２１ｃが形成されていると共に、この開口部２２１ｃの周縁部から下方に向かって延び、第１連結筒部２１２を径方向の外側から囲繞する第２連結筒部２２１ｄが形成されている。
【００９０】
第２連結筒部２２１ｄは、第１連結筒部２１２に対してシリンダ軸Ｏ回りに相対的に回転自在に接している。第２連結筒部２２１ｄの上端部側には、径方向の内側に向かって突出し、第１連結筒部２１２に形成された周溝２１４内に入り込んで、アンダーカット嵌合される環状の係合突起２３０が形成されている。
これにより、押下ヘッド２２１はシリンダ軸Ｏ方向に位置決めがされた状態で、中蓋２２０及びシリンダ部２０１に対してシリンダ軸Ｏ回りに回転可能とされた状態で組み合わされている。
なお、第２連結筒部２２１ｄの下端部は、第１連結筒部２１２と中蓋２２０における第２内筒部２２０ｅとの間に配置されている。
【００９１】
天壁部２２１ａには、第２連結筒部２２１ｄと周壁部２２１ｂとの間に位置する部分から下方に向けて突出した環状のスプリング保持部２３１が形成されている。スプリング保持部２３１は、中蓋２２０の底壁部２２０ｄに上方から対向しており、コイルスプリング５２の上端部を保持している。これにより、コイルスプリング５２は、中蓋２２０と押下ヘッド２２１との間に介装されている。
【００９２】
上述したように構成された押下ヘッド２２１は、シリンダ軸Ｏ回りの回転量が規制されていると共に、回転位置に応じて押し下げのストローク量が変更可能な構成とされている。本実施形態では、押下ヘッド２２１は、シリンダ軸Ｏ回りの回転によって第１吐出位置Ｐ１及び第２吐出位置Ｐ２のいずれかの位置に切り換え可能とされていると共に、第１吐出位置Ｐ１でのストローク量Ｌ５よりも第２吐出位置Ｐ２でのストローク量Ｌ６が小さい設定とされている。
【００９３】
詳細に説明する。
はじめに、定量吐出器２００をシリンダ軸Ｏ方向から見た上面視において、周方向のうちシリンダ軸Ｏを時計回りに周回する方向を第１周方向Ｔ１、その反対方向を第２周方向Ｔ２という。
中蓋２２０における外筒部２２０ｂには、径方向の外側に向けて突出すると共に周方向に沿って延びた規制部２４０が形成されている。規制部２４０は、外筒部２２０ｂの全周のうち略１／４周に相当する長さで形成されていると共に、シリンダ軸Ｏを挟んで径方向に向かい合うように形成されている。
【００９４】
さらに、中蓋２２０の外筒部２２０ｂには、径方向の外側に向けて突出した突起状の回転ストッパ２４１が形成されている。この回転ストッパ２４１は、上述した２つの規制部２４０の間の周方向中間部分に配置されていると共に、シリンダ軸Ｏを挟んで径方向に向かい合うように形成されている。
【００９５】
これに対して、押下ヘッド２２１における周壁部２２１ｂの内周面には、径方向の内側に向けて突出した凸条部２４２及びストッパ部２４３が形成されている。
【００９６】
凸条部２４２は、周壁部２２１ｂの上端部から下端部に亘ってシリンダ軸Ｏ方向に沿って長尺に延びるように形成されており、シリンダ軸Ｏを挟んで径方向に向かい合うように形成されている。凸条部２４２のうち第１周方向Ｔ１側を向いた第１周端面２４２ａは、規制部２４０の周端面に接触している。そして、凸条部２４２が規制部２４０に接触している位置が、上述した第１吐出位置Ｐ１とされている。
【００９７】
また、押下ヘッド２２１が中蓋２２０に対してシリンダ軸Ｏ回りを第２周方向Ｔ２に向けて回転すると、凸条部２４２のうち第２周方向Ｔ２側を向いた第２周端面２４２ｂが回転ストッパ２４１の周端面に接触する。これにより、押下ヘッド２２１のそれ以上の回転が規制される。そして、凸条部２４２が回転ストッパ２４１に接触している位置が、上述した第２吐出位置Ｐ２とされている。
【００９８】
このように、規制部２４０及び回転ストッパ２４１に凸条部２４２が接触することで、押下ヘッド２２１のシリンダ軸Ｏ回りの回転量が規制され、第１吐出位置Ｐ１及び第２吐出位置Ｐ２のいずれかの位置に切り換え可能とされている。
【００９９】
なお、中蓋２２０の外筒部２２０ｂには、規制部２４０に接触している凸条部２４２よりも第２周方向Ｔ２側に位置する部分から径方向の外側に向けて突出し、凸条部２４２を第１吐出位置Ｐ１に位置決めさせる膨出部２４５が形成されている。これにより、凸条部２４２は、規制部２４０と膨出部２４５とによって周方向に挟まれた状態となり、第１吐出位置Ｐ１に安定して位置決めされている。なお、膨出部２４５は、押下ヘッド２２１の回転に伴って凸条部２４２が周方向に乗り越え可能な突出量とされている。
【０１００】
ストッパ部２４３は、周壁部２２１ｂの上端部から周壁部２２１ｂの上下方向の略中間部分に亘ってシリンダ軸Ｏ方向に沿って長尺に延びるように形成されており、シリンダ軸Ｏを挟んで径方向に向かい合うように形成されている。この際、ストッパ部２４３は、定量吐出器２００をシリンダ軸Ｏ方向から見た上面視（図１１参照）で、回転ストッパ２４１よりも第２周方向Ｔ２側に位置し、且つ規制部２４０よりも第１周方向Ｔ１側に配置位置するように形成されている。
【０１０１】
これにより、押下ヘッド２２１が第１吐出位置Ｐ１に位置している場合には、ストッパ部２４３の下方には回転ストッパ２４１及び規制部２４０が存在しない。これに対して、押下ヘッド２２１が第２吐出位置Ｐ２に位置している場合には、ストッパ部２４３は規制部２４０の上方に位置する。
【０１０２】
従って、第１吐出位置Ｐ１で押下ヘッド２２１を押し下げた場合には、ストッパ部２４３は何ら規制されることなく押下ヘッド２２１に追従して下方移動する（図１４参照）。そのため、押下ヘッド２２１の天壁部２２１ａが中蓋２２０の天壁部２２０ａに近接するまでのストローク量Ｌ５で、押下ヘッド２２１の押し下げが可能とされている。
これに対して、第２吐出位置Ｐ２で押下ヘッド２２１を押し下げた場合には、ストッパ部２４３が規制部２４０に対して上方から当接して、それ以上の押し下げが規制される（図１５参照）。これにより、ストッパ部２４３の下端部が規制部２４０に接触するまでのストローク量Ｌ６（ストローク量Ｌ５よりも小さい）で、押下ヘッド２２１の押し下げが可能とされている。
【０１０３】
なお、ストッパ部２４３は、周方向に間隔をあけて配置された２つの縦リブ２４３ａによって形成されている。但し、この場合に限定されるものではない。
【０１０４】
なお、本実施形態では、図１３に示すように、押下ヘッド２２１が第１吐出位置Ｐ１及び第２吐出位置Ｐ２に位置していることを示す指標部が押下ヘッド２２１の外周面に形成されている。
図示の例では、指標部の一例として、ストローク量Ｌ５、Ｌ６に応じた内容物の吐出量が形成されている。即ち、押下ヘッド２２１が第１吐出位置Ｐ１に位置していることを示す第１指標部２５０、及び押下ヘッド２２１が第２吐出位置Ｐ２に位置していることを示す第２指標部２５１が形成されている。第１指標部２５０は内容物が例えば３０ｍｌ吐出されることを意味する「３０」と表示され、第２指標部２５１は内容物が例えば１５ｍｌ吐出されることを意味する「１５」と表示されている。
これら第１指標部２５０及び第２指標部２５１のいずれかがノズル部２０４の上方に位置していることで、押下ヘッド２２１が第１吐出位置Ｐ１又は第２吐出位置Ｐ２に位置していることを正確に把握することが可能とされている。
【０１０５】
図１２に示すように、ノズル部２０４は、シリンダ部２０１の底壁部３１の下面、及び装着筒部３０の外周面の双方から一体に側方（シリンダ軸Ｏに交差する方向）に向かって突出し、シリンダ部２０１内に連通している。
ノズル部２０４は、シリンダ部２０１及び装着筒部３０に、斜め下向きに接続されたノズル本体２０４Ａと、先端開口が吐出孔８０とされ、ノズル本体２０４Ａに装着された補助ノズル２０４Ｂとを備えている。
【０１０６】
ノズル本体２０４Ａの基端開口部には、環状の端壁部８２が配設されている。ノズル本体２０４Ａの基端部の上部は、シリンダ部２０１内に向けて開口している。従って、ノズル本体２０４Ａの内部は、シリンダ部２０１内の液室３２に連通している。補助ノズル２０４Ｂは、ノズル本体２０４Ａを囲むように該ノズル本体２０４Ａに装着される装着部２５５と、上記吐出孔８０が形成された吐出部２５６と、を備えている。
吐出部２５６は、装着部２５５との接続部分からノズル先端側に向かうに従い下方に向けて屈曲している。そのため、吐出孔８０は下方に向けて開口している。
【０１０７】
吐出弁９は、端壁部８２よりも補助ノズル２０４Ｂ側に配置された隔壁部２５７の開口を利用して取り付けられている。なお、本実施形態の吐出弁９は、第１実施形態における導入孔９４が形成されていない。さらに、隔壁部２５７には、吐出弁９を囲むように間隔をあけて流通孔２５８が形成されている。
【０１０８】
（定量吐出器の作用）
本実施形態の定量吐出器２００によれば、図１２に示すように、押下ヘッド２２１が第１吐出位置Ｐ１に位置している状態で押下ヘッド２２１を押し下げ操作すると、ストッパ部２４３の下方に規制部２４０が位置していないので、図１４に示すように、押下ヘッド２２１の天壁部２２１ａが中蓋２２０の天壁部２２０ａに近接するまでのストローク量Ｌ５で押し下げを行うことができる。これにより、例えば３０ｍｌの吐出量で内容物を吐出することができる。
特に、押下ヘッド２２１の天壁部２２１ａを中蓋２２０の天壁部２２０ａに近接させるまで、押下ヘッド２２１を押し下げることができるので、押下ヘッド２２１内のデッドスペースをなくすことができる。
【０１０９】
続いて、吐出量を変更する場合には、押下ヘッド２２１をシリンダ軸Ｏ回りに第２周方向Ｔ２に向けて回転操作する。これにより、図１１に示すように、凸条部２４２及びストッパ部２４３を第２周方向Ｔ２側に移動させることができ、凸条部２４２の第２周端面２４２ｂが回転ストッパ２４１の周端面に接触して、それ以上の回転が規制される。これにより、押下ヘッド２２１を第２吐出位置Ｐ２に位置させることができ、ストッパ部２４３が規制部２４０の上方に位置する。また、第２指標部２５１がノズル部２０４の上方に位置した状態となる。
【０１１０】
そして、押下ヘッド２２１を第２吐出位置Ｐ２で押し下げ操作すると、図１５に示すように、ストッパ部２４３の下端部が規制部２４０に接触するまでのストローク量Ｌ６で押し下げを行うことができる。これにより、例えば１５ｍｌの吐出量で内容物を吐出することができる。
【０１１１】
このように、本実施形態の場合であっても、第１実施形態と同様に、押下ヘッド２２１を回転操作するだけの簡便な方法で、吐出される内容物の量を容易に変更することができるので、操作性に優れている。しかも、押下ヘッド２２１を回転操作しない限り、変更後の量を正確に吐出することができる。
【０１１２】
（第２実施形態の変形例）
上記第２実施形態において、押下ヘッド２２１を透明或いは半透明材料で形成し、外部から押下ヘッド２２１の内部を視認することができるように構成しても構わない。このようにすることで、押下ヘッド２２１が第１吐出位置Ｐ１又は第２吐出位置Ｐ２のいずれかに位置していることを把握することができ、内容物の吐出量を所望する量に正確に変更し易い。
【０１１３】
また、上記実施形態では、押下ヘッド２２１の周壁部２２１ｂの外周面に第１指標部２５０及び第２指標部２５１を形成したが、この場合に限定されるものではない。例えば、図１６に示すように、中蓋２２０における規制部２４０の外周面（或いは外筒部２２０ｂの外周面）に第１指標部２５０及び第２指標部２５１を形成し、押下ヘッド２２１の周壁部２２１ｂにいずれかの指標部を露出させるための切欠部２６０を形成しても構わない。この場合であっても、同様の作用効果を奏功することができる。
【０１１４】
なお、本発明の技術範囲は、上記実施形態に限定されるものではなく、本発明の趣旨を逸脱しない範囲において、種々の変更を加えることが可能である。
【符号の説明】
【０１１５】
Ｏ…シリンダ軸
１、２００…定量吐出器
３、２０１…シリンダ部
４、２０２…ピストン部
５、２０３…ピストン操作部
６…吸込み部６
７…吸込み弁７
８、２０４…ノズル部
９…吐出弁９
１０…容器本体
１１…容器本体の口部
３０…装着筒部
３２…液室
５０、２２０…中蓋
５１、２２１…押下ヘッド
５２…コイルスプリング（付勢手段）
５８、２４０…規制部
５９Ａ、５９Ｂ、５９Ｃ、５９Ｄ、２４３…ストッパ部
１００…摺接突起
１０１…係合突起
【図１】
2015127242.tif 000003
【図２】
2015127242.tif 000004
【図３】
2015127242.tif 000005
【図４】
2015127242.tif 000006
【図５】
2015127242.tif 000007
【図６】
2015127242.tif 000008
【図７】
2015127242.tif 000009
【図８】
2015127242.tif 000010
【図９】
2015127242.tif 000011
【図１０】
2015127242.tif 000012
【図１１】
2015127242.tif 000013
【図１２】
2015127242.tif 000014
【図１３】
2015127242.tif 000015
【図１４】
2015127242.tif 000016
【図１５】
2015127242.tif 000017
【図１６】
2015127242.tif 000018